Podtech/llm-jp-corpus-v4-ja_patent huggingface dataset:
【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
転倒検出器を作動させる方法において、前記方法が、
前記転倒検出器のユーザによる転倒イベントを検出するとき、前記ユーザの少なくとも１つの生理的特徴を測定するステップと、
前記少なくとも１つの生理的特徴の測定を用いて、前記ユーザが転倒したというアラートを促進するべきかどうか決定するステップとを有し、
前記アラートを促進するべきかどうか決定するステップが、
前記少なくとも１つの生理的特徴の測定が、前記少なくとも１つの生理的特徴に関する正常な値から外れるかどうか決定するステップと、
前記少なくとも１つの生理的特徴が、前記少なくとも１つの生理的特徴に関する正常な値から外れる場合、前記ユーザが転倒したというアラートを促進するステップと、
前記少なくとも１つの生理的特徴が前記少なくとも１つの生理的特徴に関する正常な値から外れないとき、前記ユーザが転倒したという非促進型アラートを発行するステップと、
を有する、方法。
【請求項２】
前記非促進型アラートを発行するステップが、前記ユーザが前記検出された転倒イベント後所定の時間期間内に起きなかったと決定される場合に、前記ユーザが転倒したという前記非促進型アラートを開始するステップを更に有する、請求項１に記載の方法。
【請求項３】
前記少なくとも１つの生理的特徴の測定が、前記少なくとも１つの生理的特徴に関する正常な値から外れるかを決定するステップが、閾値又は前記少なくとも１つの生理的特徴に関する値の正常な範囲に対して前記少なくとも１つの生理的特徴の測定を比較するステップを有する、請求項１又は２のいずれかに記載の方法。
【請求項４】
前記少なくとも１つの生理的特徴に関する前記正常な値が、ユーザ依存である、請求項１乃至３のいずれかに記載の方法。
【請求項５】
前記ユーザの運動を測定するステップと、
前記ユーザによる転倒を示す１つ又は複数の運動を特定するため前記測定された運動を解析するステップとを更に有する、請求項１乃至４のいずれかに記載の方法。
【請求項６】
前記測定された運動が、前記ユーザの前記少なくとも１つの生理的特徴の測定を得るため、更に解析される、請求項５に記載の方法。
【請求項７】
前記ユーザの少なくとも１つの生理的特徴を測定するステップが、前記ユーザの運動を測定するために用いられるセンサとは異なるセンサを用いるステップを有する、請求項５に記載の方法。
【請求項８】
転倒と整合する前記１つ又は複数の運動が、衝撃、前記ユーザの高さにおける変化、垂直速度及び前記ユーザの方向における変化から選択される、請求項５、６又は７に記載の方法。
【請求項９】
アラートが、音声アラーム、コールセンタ、緊急サービス若しくはノミネートされた受信者に対する呼び出し、又はコールセンタ、緊急サービス若しくはノミネートされた受信者へのデータの送信の少なくとも１つを有する、請求項１乃至８のいずれかに記載の方法。
【請求項１０】
アラートを促進するステップが、撤回期間の満了の前にアラートを開始するステップ、受信者における呼び出し又はメッセージのキューイングが、非促進型アラートと比べて促進されるよう、前記呼び出し又はメッセージに高い優先度を与えるステップ、ネットワークにおいて、非促進型アラートより高い優先度又は高い帯域幅チャネルを介してアラートを開始するステップ、前記転倒検出器に関連付けられるコールセンタの代わりに、又はこれに加えて緊急サービスに対してアラートを開始するステップの１つ又は複数を有する、請求項１乃至９のいずれかに記載の方法。
【請求項１１】
前記少なくとも１つの生理的特徴が、心拍、心拍変動、呼吸レート、呼吸レート変動、体温度、皮膚伝導性及び血圧から選択される、請求項１乃至１０のいずれかに記載の方法。
【請求項１２】
プロセッサにより実行されるとき、プロセッサに、請求項１乃至１１のいずれかに記載された方法を実行させるコンピュータプログラム。
【請求項１３】
処理ユニットを有する装置であって、
前記処理ユニットが、
転倒検出器のユーザによる転倒イベントを検出するとき、前記ユーザの少なくとも１つの生理的特徴の測定を決定し、
前記少なくとも１つの生理的特徴の測定を用いて、前記ユーザが転倒したというアラートを促進するべきかどうか決定するよう構成され、
前記アラートを促進するべきかどうかの決定が、
前記少なくとも１つの生理的特徴の測定が、前記少なくとも１つの生理的特徴に関する正常な値から外れるかどうか決定し、
前記少なくとも１つの生理的特徴が、前記少なくとも１つの生理的特徴に関する正常な値から外れる場合、前記ユーザが転倒したというアラートを促進し、
前記少なくとも１つの生理的特徴が前記少なくとも１つの生理的特徴に関する正常な値から外れないとき、前記ユーザが転倒したという非促進型アラートを発行する、
ことによりなされる、装置。
【手続補正書】
【提出日】平成26年6月20日(2014.6.20)
【手続補正１】
【補正対象書類名】明細書
【補正対象項目名】００４８
【補正方法】変更
【補正の内容】
【００４８】
好ましいものとして、本発明の眼科用局所医薬組成物の製造方法が示され、この方法において、
ａ）適用可能な医薬上許容し得るビヒクルまたは適用可能な医薬上許容し得るビヒクルの混合物は、所望により別の１以上の医薬上許容し得る賦形剤の存在下で、前記ビヒクルを混合することにより製造され、
ｂ）本発明の化合物、好ましくはソラフェニブ、より好ましくはソラフェニブトシル酸塩は、前記適用可能な医薬上許容し得るビヒクルに、例えば室温で、所望によりさらなる１以上の医薬上許容し得る賦形剤の存在下にて分散、可溶化、または懸濁され、
ｃ）該混合物は、室温で、攪拌、振湯またはボルテックス、好ましくは攪拌により均質化され、
ｄ）該混合物は、一単位に細分化されて、適用可能なバイアル、容器、チューブ、フラスコ、点滴器および／またはシリンジに充填される。
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
イソチオシアネート官能性界面活性剤を含み、
前記イソチオシアネート官能性界面活性剤は、該イソチオシアネート官能性界面活性剤の脂肪族及び／又は芳香族炭素に会合した少なくとも１つのイソチオシアネート官能基を含む、
ことを特徴とする界面活性剤。
【請求項２】
リシン誘導体を含み、
前記リシン誘導体は、α−窒素及びε−窒素を含み、少なくとも８個の炭素原子を含むアルキル及び／又はアルカノイル置換基が前記α−窒素に会合し、さらに少なくとも１つのイソチオシアネート官能基が前記ε−窒素に会合する、
ことを特徴とする界面活性剤。
【請求項３】
界面活性剤を含み、
前記界面活性剤のプロトン化形は以下の化学構造で表され、
【化１】
2014518271.tif 000001
前記界面活性剤の前記プロトン化形は、無極性部分（ＮＰ）及び極性部分（Ｐ）を含み、少なくとも１つのイソチオシアネート官能基（ＮＣＳ）が前記極性及び／又は無極性部分に会合する、
ことを特徴とする界面活性剤。
【請求項４】
界面活性剤又はその薬学的に許容される塩を含み、
前記界面活性剤のプロトン化形は以下の化学構造で表され、
【化２】
2014518271.tif 000002
式中、Ｒ1は、１個から２５個までの炭素原子を含むアルキル、シクロアルキル、ポリシクロアルキル、ヘテロシクロアルキル、アリール、アルカリール、アラルキル、アルコキシ、アルカノイル、アロイル、アルケニル、アルキニル及び／又はシアノ基を含み、ここで前記炭素原子は、ハロゲン、Ｎ、Ｏ、及び／又はＳ含有部分への連結基又はその部分、及び／又は、アルコール、エステル、アンモニウム塩、ホスホニウム塩、及びそれらの組合せを含む１つ又はそれ以上の官能基への連結基又はその部分、ダイマーへの連結部、オリゴマーへの連結部、及び／又はポリマーへの連結部とすることができ、Ｒ2は、ＮＣＳを含み、Ｒ3−Ｒ5は、同じ又は異なり、Ｈ、ＯＨ、１個から２５個までの炭素原子を含むアルキル、シクロアルキル、ポリシクロアルキル、ヘテロシクロアルキル、アリール、アルカリール、アラルキル、アルコキシ、アルカノイル、アロイル、アルケニル、アルキニル及び／又はシアノ基を含み、ここで前記炭素原子は、ハロゲン、Ｎ、Ｏ、及び／又はＳ含有部分への連結基又はその部分、及び／又は、アルコール、エステル、アンモニウム塩、ホスホニウム塩、及びそれらの組合せを含む１つ又はそれ以上の官能基への連結基又はその部分、ダイマーへの連結部、オリゴマーへの連結部、及び／又はポリマーへの連結部とすることができ、但し、Ｒ3−Ｒ5の少なくとも１つは、８個から２５個までの炭素原子を含むアルキル、シクロアルキル、ポリシクロアルキル、ヘテロシクロアルキル、アリール、アルカリール、アラルキル、アルコキシ、アルカノイル、アロイル、アルケニル、アルキニル及び／又はシアノ基を含む、
ことを特徴とする界面活性剤。
【請求項５】
界面活性剤又はその薬学的に許容される塩を含み、
前記界面活性剤のプロトン化形は以下の化学構造で表され、
【化３】
2014518271.tif 000003
式中、Ｘは１から２５までの範囲の整数を含み、Ｙは６から２５までの範囲の整数を含む、
ことを特徴とする界面活性剤。
【請求項６】
界面活性剤又はその薬学的に許容される塩を含み、
前記界面活性剤のプロトン化形は以下の化学構造で表される、
【化４】
2014518271.tif 000004
ことを特徴とする湿疹を治療する界面活性剤。
【請求項７】
界面活性剤又はその薬学的に許容される塩を含み、
前記界面活性剤は以下の化学構造で表され、
【化５】
2014518271.tif 000005
式中、Ｒ1は、１個から２５個までの炭素原子を含むアルキル、シクロアルキル、ポリシクロアルキル、ヘテロシクロアルキル、アリール、アルカリール、アラルキル、アルコキシ、アルカノイル、アロイル、アルケニル、アルキニル及び／又はシアノ基を含み、ここで前記炭素原子は、ハロゲン、Ｎ、Ｏ、及び／又はＳ含有部分への連結基又はその部分、及び／又は、アルコール、エステル、アンモニウム塩、ホスホニウム塩、及びそれらの組合せを含む１つ又はそれ以上の官能基への連結基又はその部分、ダイマーへの連結部、オリゴマーへの連結部、及び／又はポリマーへの連結部とすることができ、Ｒ2は、ＮＣＳを含み、Ｒ3−Ｒ5は、同じ又は異なり、Ｈ、ＯＨ、１個から２５個までの炭素原子を含むアルキル、シクロアルキル、ポリシクロアルキル、ヘテロシクロアルキル、アリール、アルカリール、アラルキル、アルコキシ、アルカノイル、アロイル、アルケニル、アルキニル及び／又はシアノ基を含み、ここで前記炭素原子は、ハロゲン、Ｎ、Ｏ、及び／又はＳ含有部分への連結基又はその部分、及び／又は、アルコール、エステル、アンモニウム塩、ホスホニウム塩、及びそれらの組合せを含む１つ又はそれ以上の官能基への連結基又はその部分、ダイマーへの連結部、オリゴマーへの連結部、及び／又はポリマーへの連結部とすることができ、但し、Ｒ3−Ｒ5の少なくとも１つは、８個から２５個までの炭素原子を含むアルキル、シクロアルキル、ポリシクロアルキル、ヘテロシクロアルキル、アリール、アルカリール、アラルキル、アルコキシ、アルカノイル、アロイル、アルケニル、アルキニル及び／又はシアノ基を含み、Ｘは、それらに限定されないが、アルカリ金属、アルカリ土類金属、遷移金属、ｓブロック金属、ｄブロック金属、ｐブロック金属、ＮＺ4+といった対陽イオンを含み、ここでＺは、Ｈ、Ｒ6及び／又はＯＲ6を含み、ここでＲ6は、１個から２５個までの炭素原子を含むアルキル、シクロアルキル、ポリシクロアルキル、ヘテロシクロアルキル、アリール、アルカリール、アラルキル、アルコキシ、アルカノイル、アロイル、アルケニル、アルキニル及び／又はシアノ基を含み、ここで前記炭素原子は、ハロゲン、Ｎ、Ｏ、及び／又はＳ含有部分への連結基又はその部分、及び／又は、アルコール、エステル、アンモニウム塩、ホスホニウム塩、及びそれらの組合せを含む１つ又はそれ以上の官能基への連結基又はその部分、ダイマーへの連結部、オリゴマーへの連結部、及び／又はポリマーへの連結部とすることができる、
ことを特徴とする界面活性剤。
【手続補正書】
【提出日】平成26年10月23日(2014.10.23)
【手続補正１】
【補正対象書類名】特許請求の範囲
【補正対象項目名】全文
【補正方法】変更
【補正の内容】
【特許請求の範囲】
【請求項１】
メタボリックシンドロームの発症を防止するまたは発症のリスクを低減する方法において使用するための、二糖Ｇａｌ（β１−３）−Ｇｌｃ；Ｇａｌ（β１−３）−Ｇａｌ；Ｇａｌ（β１−６）−Ｇａｌ；Ｇａｌ（α１−６）−Ｇａｌ；三糖Ｇａｌ（β１−６）−Ｇａｌ（β１−４）−Ｇｌｃ；Ｇａｌ（β１−３）−Ｇａｌ（β１−４）−Ｇｌｃ；四糖Ｇａｌ（β１−６）−Ｇａｌ（β１−６）−Ｇａｌ（β１−４）−Ｇｌｃ；および五糖Ｇａｌ（β１−６）−Ｇａｌ（β１−６）−Ｇａｌ（β１−６）−Ｇａｌ（β１−４）−Ｇｌｃを含むガラクトオリゴ糖の混合物を含む組成物。
【請求項２】
心血管系障害を防止するまたはそのリスクを低減する方法において使用するための、請求項１に記載の組成物。
【請求項３】
前記心血管系障害が、冠動脈疾患、冠動脈心疾患、心臓発作、および脳卒中から選択される、請求項２に記載の組成物。
【請求項４】
凍結乾燥粉末形態、シロップ形態、または錠剤形態で提供される、請求項１〜請求項３のいずれか１項に記載の組成物。
【請求項５】
凍結乾燥粉末形態の組成物であって、２．７５〜２０ｇの前記の粉末の組成物中に１．３５〜９．６ｇのガラクトオリゴ糖を含む、請求項４に記載の組成物。
【請求項６】
凍結乾燥粉末形態の組成物であって、４〜１０ｇの前記の粉末の組成物中に１．９６〜４．９ｇのガラクトオリゴ糖を含む、請求項４に記載の組成物。
【請求項７】
凍結乾燥粉末形態の組成物であって、５．５ｇの前記の粉末の組成物中に２．７ｇのガラクトオリゴ糖を含む、請求項４に記載の組成物。
【請求項８】
シロップ形態の組成物であって、３．５５〜２５．２９ｇの前記のシロップ中に１．３５〜９．６ｇのガラクトオリゴ糖を含む、請求項４に記載の組成物。
【請求項９】
シロップ形態の組成物であって、５．１６〜１２．９ｇの前記のシロップ中に１．９６〜４．９ｇのガラクトオリゴ糖を含む、請求項４に記載の組成物。
【請求項１０】
シロップ形態の組成物であって、７．２５ｇの前記のシロップ中に２．７ｇのガラクトオリゴ糖を含む、請求項４に記載の組成物。
【請求項１１】
コレステロールおよびトリグリセリドの血中レベルを低下させるための医薬の製造における、二糖Ｇａｌ（β１−３）−Ｇｌｃ；Ｇａｌ（β１−３）−Ｇａｌ；Ｇａｌ（β１−６）−Ｇａｌ；Ｇａｌ（α１−６）−Ｇａｌ；三糖Ｇａｌ（β１−６）−Ｇａｌ（β１−４）−Ｇｌｃ；Ｇａｌ（β１−３）−Ｇａｌ（β１−４）−Ｇｌｃ；四糖Ｇａｌ（β１−６）−Ｇａｌ（β１−６）−Ｇａｌ（β１−４）−Ｇｌｃ；および五糖Ｇａｌ（β１−６）−Ｇａｌ（β１−６）−Ｇａｌ（β１−６）−Ｇａｌ（β１−４）−Ｇｌｃを含むガラクトオリゴ糖の混合物を含む組成物の使用。
【手続補正書】
【提出日】平成26年9月5日(2014.9.5)
【手続補正１】
【補正対象書類名】特許請求の範囲
【補正対象項目名】全文
【補正方法】変更
【補正の内容】
【特許請求の範囲】
【請求項１】
コンタクトレンズホルダと、
前記コンタクトレンズホルダおよび中和されるべき洗浄液を収容するように適合されるバイアルと、
前記洗浄液の中和速度に関するデータを提供する能力を有するセンサと、
前記センサから中和速度に関するデータを受信するために前記センサと通信する処理デバイスと、
前記処理デバイスと通信する表示部と、を備え、前記処理デバイスは、前記中和速度に関するデータに基づいて洗浄有効性情報を提供するために前記表示部を操作するように適合される、コンタクトレンズ洗浄システム。
【請求項２】
前記センサは、温度センサである、請求項１に記載のシステム。
【請求項３】
前記温度センサは、前記バイアルを覆うキャップ内に配置される、請求項２に記載のシステム。
【請求項４】
前記温度センサは、前記バイアルの外側に配置される、請求項２に記載のシステム。
【請求項５】
前記処理デバイスは、前記中和速度に関するデータから温度変化速度を判定するように適合される、請求項２に記載のシステム。
【請求項６】
前記処理デバイスは、前記温度変化速度を理論上の温度変化速度と比較することによって洗浄有効性を判定するようにさらに適合される、請求項５に記載のシステム。
【請求項７】
前記バイアルの外側に配置され、前記バイアル周辺の空気の温度を測定するように適合される周囲温度センサをさらに備え、前記処理デバイスは、前記周囲温度センサからの温度信号を使用して洗浄有効性を判定し、理論上の温度変化速度と比較して、温度変化の近似的速度に対する周囲温度の影響を補正するようにさらに適合される、請求項６に記載のシステム。
【請求項８】
前記処理デバイスと通信する使用カウンタをさらに備え、前記処理デバイスは、前記洗浄システムの洗浄のための使用回数に対応する情報を表示するようにさらに適合される、請求項１に記載のシステム。
【請求項９】
前記センサは、圧力センサである、請求項１に記載のシステム。
【請求項１０】
前記バイアルを支持するように適合されるキャディをさらに備える、請求項１に記載のシステム。
【請求項１１】
前記表示部は、前記キャディ内に配置される、請求項１０に記載のシステム。
【請求項１２】
前記表示部は、前記バイアル上のキャップ内に配置される、請求項１に記載のシステム。
【請求項１３】
前記バイアル内に配置される溶液センサをさらに備え、前記処理デバイスは、前記溶液センサからの信号に基づいて前記バイアル内の洗浄液の存在を判定するようにさらに適合される、請求項１に記載のシステム。
【請求項１４】
前記溶液センサは、電極を備える、請求項１３に記載のシステム。
【請求項１５】
前記溶液センサは、容量センサを備える、請求項１３に記載のシステム。
【請求項１６】
前記洗浄液を中和する能力がある触媒を更に備える、請求項１に記載のシステム。
【請求項１７】
前記触媒が、白金を含む、請求項１６に記載されるシステム。
【請求項１８】
前記洗浄液が、過酸化水素を含む、請求項１に記載されるシステム。
【請求項１９】
コンタクトレンズホルダと、
前記コンタクトレンズホルダおよび中和されるべき洗浄液を収容するように適合されるバイアルと、
前記洗浄液の中和の特性に関するデータを提供する能力を有するセンサと、
前記センサから前記データを受信するために前記センサと通信し、該データを使用して、中和の近似的速度を判定する処理デバイスと、
前記処理デバイスと通信する表示部と、を備え、前記処理デバイスは、前記中和の近似的速度に基づいて洗浄有効性情報を提供するために前記表示部を操作するように適合される、コンタクトレンズ洗浄システム。
【請求項２０】
前記化学反応の前記特性が、前記洗浄液の中和によって発生された熱から得られる温度であり、前記センサが温度センサである請求項１９記載のコンタクトレンズ洗浄システム。
【請求項２１】
前記処理デバイスが、温度変化の近似的速度と、前記洗浄液の中和に対する理論上に決定される温度変化の速度とを比較することより、洗浄有効性を判定するようにさらに適合されている請求項２０記載のコンタクトレンズ洗浄システム。
【請求項２２】
前記バイアルの外側に配置され、前記バイアル周辺の空気の温度を測定するように適合される周囲温度センサをさらに備え、前記処理デバイスは、前記周囲温度センサからの温度信号を使用して洗浄有効性を判定し、理論上決定される温度変化速度と比較して、温度変化の近似的速度に対する周囲温度の影響を補正するようにさらに適合される、請求項２１に記載のシステム。
【請求項２３】
前記洗浄液の中和の前記特性が、前記中和によるガス生成物から結果される圧力であり、前記センサが、圧力センサである、請求項１９に記載のシステム。
【請求項２４】
前記処理デバイスが、圧力変化の近似的速度を、前記中和に対して理論上決定される圧力変化速度と比較することにより、洗浄有効性を判定するようにさらに適合されている、請求項２３に記載のシステム。
【請求項２５】
前記洗浄液を中和する能力がある触媒を更に備える、請求項１９に記載されるシステム。
【請求項２６】
前記触媒が、白金を含む、請求項２５に記載されるシステム。
【請求項２７】
前記洗浄液が、過酸化水素を含む、請求項１９に記載されるシステム。
【請求項２８】
前記洗浄液の中和の前記特性が、前記洗浄液の中和から結果される電気伝導率であり、前記センサが電気伝導率センサである、請求項１９に記載されるシステム。
【請求項２９】
前記処理デバイスが、電気伝導率変化の近似的速度を、前記洗浄液の中和に対する理論上決定される電気伝導率変化速度と比較することにより、洗浄有効性を判定するようにさらに適合されている、請求項２８に記載のシステム。
【請求項３０】
前記センサが、電気伝導率センサである、請求項１に記載のシステム。
【請求項３１】
前記処理デバイスが、中和データの速度から電気伝導率変化を判定するように適合されている請求項３０記載のシステム。
【請求項３２】
前記処理デバイスが、前記電気伝導率変化速度を理論上の電気伝導率変化速度と比較することにより、洗浄有効性を判定するように更に適合されている請求項３１記載のシステム。
【請求項３３】
コンタクトレンズホルダと、
前記コンタクトレンズホルダおよび中和されるべき洗浄液を収容するように適合されるバイアルと、
前記洗浄液の中和の速度に関するデータを発生する能力を有する電気伝導率センサと、
前記電気伝導率データを得るために前記電気伝導率センサと通信し、該電気伝導率データを使用して、中和の近似的速度を判定する処理デバイスと、
前記処理デバイスと通信する表示部と、を備え、前記処理デバイスは、前記中和の近似的速度に基づいて洗浄有効性情報を提供するために前記表示部を操作するように適合される、コンタクトレンズ洗浄システム。
【手続補正書】
【提出日】平成26年9月4日(2014.9.4)
【手続補正１】
【補正対象書類名】特許請求の範囲
【補正対象項目名】全文
【補正方法】変更
【補正の内容】
【特許請求の範囲】
【請求項１】
心臓機能を改善するように交感神経を電気的に刺激するためのシステムであって、
心外膜静脈内で前記交感神経に隣接する前記心臓の心外膜表面上に位置決めされる電極と、
毎分当たりの心筋サイクルの所望の頻度を制御するために所定の速度で前記心筋の収縮を電気的に活性化するように前記電極に接続されたペーシング・デバイスであって、前記各心筋サイクルは、心筋収縮が有効に妨げられる電気不応期、及び前記心臓が充満しようとしている心拡張期を含んでいるペーシング・デバイスと、
前記心筋サイクルの不応期中に、指定された時間間隔にわたって電気パルス列で前記交感神経を電気的に刺激するように前記電極に接続された刺激器と、
前記心筋電気サイクルでの心拡張期中に、前記心臓の早期収縮を監視するために前記ペーシング・デバイスに接続されたセンサであって、それにより心臓サイクルを中断する競合電気活動を検出して電気出力を抑制するセンサと、
前記ペーシング・デバイス及び前記刺激器の動作を調整するために前記ペーシング・デバイス及び前記刺激器に接続されたコンピュータであって、心拡張期段階中に前記心臓の収縮を感知したときに心筋電気サイクルの開始をリセットするために、競合電気活動がない所定の時間間隔が感知されるまで前記ペーシング・デバイスからの電圧出力を抑制することによって前記センサに応答するコンピュータと
を有するシステム。
【請求項２】
前記パルス列内の各パルスが、前記心筋の収縮を活性化するのに必要な強度未満の所定の強度を有する請求項１に記載のシステム。
【請求項３】
心筋サイクルに関する前記所定の速度と、前記心筋サイクルの不応期中の電気パルス列に関する前記指定された時間間隔とが、コンピュータ・プログラム可能である請求項１に記載のシステム。
【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
陰圧創傷療法（ＮＰＷＴ）が適用される創傷部位において、瘢痕のない創傷の治癒を促進する装置であって、前記装置は、
シリコーンと、前記創傷部位においてＮＰＷＴが適用されるときに、瘢痕組織形成を抑制するのに十分な量および比率の開口面積と、から構成されている創傷接触層を備える装置。
【請求項２】
前記装置は、複数の貫通穴を備える前記創傷接触層をさらに備え、前記貫通穴の組合せ面積が、前記開口面積を構成し、かつ前記開口面積が、前記創傷接触層の全体面積の約２０％以下を構成する請求項１に記載の装置。
【請求項３】
スリット、および／または、スロット、および／または、円形の穴、および／または、四角形の穴、および／または、多角形の穴、および／または、楕円形の穴を備える前記貫通穴をさらに備える請求項２に記載の装置。
【請求項４】
シリコーン接着層を備える前記創傷接触層をさらに備える請求項１から３のいずれか一項に記載の装置。
【請求項５】
前記創傷部位から前記開口面積を介して除去される滲出液を保持するために、前記創傷接触層に対して近位に位置する少なくとも１つの滲出液吸収層をさらに備える請求項１から４のいずれか一項に記載の装置。
【請求項６】
前記滲出液吸収層によって保持される滲出液が、ＮＰＷＴの間に、前記創傷のために湿潤環境を提供する液体を構成することをさらに備える請求項５に記載の装置。
【請求項７】
前記滲出液吸収層によって保持される滲出液が、治癒剤を備え、前記創傷の治癒を促進するために、前記創傷が治癒するときに、前記創傷部位に提供される請求項５または請求項６に記載の装置。
【請求項８】
前記滲出液吸収層が、３Ｄニット層と、高吸収体を含有する層と、を備える請求項５から７のいずれか一項に記載の装置。
【請求項９】
陰圧創傷療法（ＮＰＷＴ）が適用される創傷部位において、瘢痕のない創傷の治癒を促進する装置であって、前記装置は、
シリコーンベースの接着剤を備える創傷接触層であって、シリコーンが、前記創傷部位にＮＰＷＴが適用されるときに、瘢痕組織形成を抑制するのに十分な量および比率で存在する創傷接触層を備える装置。
【請求項１０】
前記シリコーンが、ポリシロキサン、または、ポリオルガノシロキサン、または、ポリジメチルシロキサンを備えることをさらに備える請求項１から９のいずれか一項に記載の装置。
【請求項１１】
瘢痕組織形成の抑制が、完全なまたは部分的な瘢痕化の防止または低減を含むことをさらに備える請求項１から１０のいずれか一項に記載の装置。
【請求項１２】
瘢痕化が、創傷の治癒から結果として生じる瘢痕化であることをさらに含む請求項１から１１のいずれか一項に記載の装置。
【請求項１３】
瘢痕化が、皮膚、腱、靱帯または筋肉、腹腔、骨盤腔、および、胸腔などからなる群から選択された組織において生じることをさらに含む請求項１２に記載の装置。
【請求項１４】
陰圧療法（ＮＰＴ）が適用される組織部位において、瘢痕のない治癒を促進する装置であって、前記装置は、
シリコーンと、前記組織部位にＮＰＴが適用されるときに、瘢痕組織を低減するのに十分な量および比率の開口面積と、から構成されている組織接触層であって、前記瘢痕組織が線維性疾患に関連する、組織接触層を備える装置。
【請求項１５】
前記線維性疾患が、皮膚線維症、筋肉線維症、および、腹部、骨盤、脊柱、または腱において生じるものなどのような癒着などからなる群から選択されたことをさらに含む請求項１４に記載の装置。
【請求項１６】
創傷部位に連結可能な陰圧供給源であって、前記陰圧供給源が、連続的および／または間欠的な陰圧を提供するように適合されている、陰圧供給源をさらに備える、請求項１から１５のいずれか一項に記載の装置。
【請求項１７】
前記陰圧供給源が、約−２０ｍｍＨｇから−２００ｍｍＨｇの間の範囲にある陰圧を提供することをさらに備える請求項１６に記載の装置。
【請求項１８】
前記陰圧供給源が、約−５０ｍｍＨｇから−１５０ｍｍＨｇの間の範囲にある陰圧を提供することをさらに備える請求項１７に記載の装置。
【請求項１９】
創傷接触層を備える創傷被覆材とともに行う陰圧創傷療法（ＮＰＷＴ）の使用であって、前記創傷接触層は、シリコーンと、前記創傷接触層の全体面積の約２０％以下の開口面積と、から構成され、それによって実質的に瘢痕のない切開創傷の治癒を促進する使用。
【請求項２０】
局所的に制御された薬剤送出システムであって、前記薬剤送出システムは、シリコーンまたはその薬学的に許容可能な均等物の有効な１日用量を備え、抗瘢痕化の治療において、創傷を患うホストに対して陰圧創傷療法（ＮＰＷＴ）を適用することと組み合わせられた局所的な投与によって、局所的にシリコーンを保持するジェル被覆材の形態の従来の創傷被覆材治療と比べて、瘢痕化のレベルの低減が、前記ホストによって経験される、薬剤送出システム。
【請求項２１】
陰圧療法（ＮＰＴ）が適用される組織部位において、瘢痕のない治癒を促進する装置であって、前記装置は、
実質的に水蒸気不透過性の層と、
限定された開口面積から構成されている層であって、前記水蒸気不透過性の層の水蒸気透過性、および前記開口面積が、前記組織部位においてＮＰＴが適用されるときに、瘢痕組織形成を抑制するのに十分な量および比率である層と、
を備える装置。
【請求項２２】
前記水蒸気不透過性の層が、組織接触層である請求項２１に記載の装置。
【請求項２３】
前記水蒸気不透過性の層が、組織接触層の上方の層である請求項２１に記載の装置。
【請求項２４】
前記層が、組織接触層を備える請求項２１に記載の装置。
【請求項２５】
前記水蒸気不透過性の層および前記層が、単一の共通の層である請求項２１に記載の装置。
【請求項２６】
前記単一の共通の層が、穿孔された層を備える請求項２５に記載の装置。
【請求項２７】
前記穿孔が、複数の穴、スリット、またはスロットなどを備える請求項２６に記載の装置。
【請求項２８】
前記穿孔された層が、穿孔されたシリコーン接着層を備える請求項２６に記載の装置。
【請求項２９】
前記組織部位が、創傷部位を含み、かつ前記ＮＰＴが、陰圧創傷療法（ＮＰＷＴ）を含む請求項２１に記載の装置。
【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
対象の心臓律動をモニタリングする方法であって、
手持ち式センサを用いて、前記対象の心電図(ECG)を検知するステップと、
前記手持ち式センサを用いて、無線信号をスマートフォンに無線送信するステップと、
スマートフォンを用いて、前記対象の前記ECGから前記対象の不整脈を検出するステップとを含む、方法。
【請求項２】
前記スマートフォンが、前記不整脈を含む無線信号をリモートサーバにさらに送信する、請求項１に記載の方法。
【請求項３】
前記不整脈の種類が、前記スマートフォンによって識別される、請求項１に記載の方法。
【請求項４】
識別された前記不整脈の前記種類が、心房細動を含む、請求項３に記載の方法。
【請求項５】
前記スマートフォンが、前記対象の体位をさらに検出する、請求項１に記載の方法。
【請求項６】
前記スマートフォンが、前記不整脈に関する情報を記憶する、請求項１に記載の方法。
【請求項７】
記憶された前記情報が、ECGを含む、請求項６に記載の方法。
【請求項８】
前記スマートフォンのディスプレイ上に前記ECGを表示するステップをさらに含む、請求項１に記載の方法。
【請求項９】
前記不整脈を検出するステップが、リアルタイムに行われる、請求項１に記載の方法。
【請求項１０】
前記スマートフォンが、可聴警告音を生成することによって、前記対象に前記不整脈を警告する、請求項１に記載の方法。
【請求項１１】
前記スマートフォンが、コンピューティングデバイスのディスプレイスクリーン上に警告を表示することによって、前記対象に前記不整脈を警告する、請求項１に記載の方法。
【請求項１２】
前記無線信号が、超音波信号を含む、請求項１に記載の方法。
【請求項１３】
前記無線信号が、Bluetooth(登録商標)信号を含む、請求項１に記載の方法。
【請求項１４】
スマートフォンの非一時的コンピュータ可読記憶媒体であって、前記スマートフォンによって実行されると、
対象のECGを含む第1の無線信号を受信することと、
前記非一時的コンピュータ可読記憶媒体上に受信した前記ECGを記憶することと、
不整脈の存在について前記ECGを解析することとを前記スマートフォンにさせる、前記スマートフォンによって実行されることが可能な命令のセットを記憶する非一時的コンピュータ可読記憶媒体。
【請求項１５】
前記命令のセットが、前記スマートフォンによって実行されると、前記ECGを含む第2の無線信号をリモートサーバに送信することを前記スマートフォンにさせる、請求項１４に記載の非一時的コンピュータ可読記憶媒体。
【請求項１６】
前記命令のセットが、前記スマートフォンによって実行されると、前記スマートフォンのディスプレイ上に前記ECGを表示することを前記スマートフォンにさせる、請求項１４に記載の非一時的コンピュータ可読記憶媒体。
【請求項１７】
前記命令のセットが、前記スマートフォンによって実行されると、不整脈が存在する場合に不整脈の種類を識別することを前記スマートフォンにさせる、請求項１４に記載の非一時的コンピュータ可読記憶媒体。
【請求項１８】
識別された前記不整脈の種類が、心房細動を含む、請求項１７に記載の非一時的コンピュータ可読記憶媒体。
【請求項１９】
前記命令のセットが、前記スマートフォンによって実行されると、前記対象の体位を検出することを前記スマートフォンにさせる、請求項１４に記載の非一時的コンピュータ可読記憶媒体。
【請求項２０】
前記命令のセットが、前記スマートフォンによって実行されると、前記不整脈に関する情報を記憶することを前記スマートフォンにさせる、請求項１４に記載の非一時的コンピュータ可読記憶媒体。
【請求項２１】
前記命令のセットが、前記スマートフォンによって実行されると、リアルタイムに前記不整脈の存在について前記ECGを解析することを前記スマートフォンにさせる、請求項１４に記載の非一時的コンピュータ可読記憶媒体。
【請求項２２】
前記命令のセットが、前記スマートフォンによって実行されると、可聴警告音を鳴らすことによって、前記対象に前記不整脈の前記存在を警告することを前記スマートフォンにさせる、請求項１４に記載の非一時的コンピュータ可読記憶媒体。
【請求項２３】
前記命令のセットが、前記スマートフォンによって実行されると、コンピューティングデバイスのディスプレイスクリーン上に警告を表示することによって、前記対象に前記不整脈の前記存在を警告する、ことを前記スマートフォンにさせる、請求項１４に記載の非一時的コンピュータ可読記憶媒体。
【請求項２４】
前記第1の無線信号が、超音波信号を含む、請求項１４に記載の非一時的コンピュータ可読記憶媒体。
【請求項２５】
前記第1の無線信号が、Bluetooth(登録商標)信号を含む、請求項１４に記載の非一時的コンピュータ可読記憶媒体。
【手続補正書】
【提出日】平成26年6月30日(2014.6.30)
【手続補正１】
【補正対象書類名】特許請求の範囲
【補正対象項目名】全文
【補正方法】変更
【補正の内容】
【特許請求の範囲】
【請求項１】
現在ブロックの予測モードを導出するステップと、
前記予測モードに基づいて前記現在ブロックに対する予測サンプルを導出することにより、予測サンプルを含む予測ブロックを生成するステップと、を含み、
前記予測モードは、イントラ予測における方向性予測モードであり、
前記予測ブロックを生成するステップは、前記予測ブロックの左側境界に隣接する予測サンプル及び前記予測ブロックの上段境界に隣接する予測サンプルのうち、前記方向性予測モードの方向に位置しない予測サンプルのフィルタリングを含み、
前記予測サンプルのフィルタリングは、前記方向性予測モードの前記方向に位置しない参照サンプルに基づいて実行されるイントラ予測方法。
【請求項２】
前記イントラ予測における前記方向性予測モードは、垂直予測モードであり、
前記予測ブロックを生成するステップは、前記予測ブロックの前記上段境界に隣接する参照サンプルに基づいて前記予測ブロック内の予測サンプルを導出するステップと、前記予測ブロックの前記左側境界に隣接する参照サンプルに基づいて、前記導出された予測サンプルの中の前記予測ブロックの前記左側境界に隣接する予測サンプルのフィルタリングを実行するステップとを有する、請求項１に記載のイントラ予測方法。
【請求項３】
前記予測サンプルのフィルタリングに対し使用される前記参照サンプルは、フィルタリングされる前記予測サンプルと、垂直方向に関して同一位置に置かれた参照サンプルである、請求項２に記載のイントラ予測方法。
【請求項４】
前記予測サンプルのフィルタリングに対し使用される前記参照サンプルは、フィルタリングされる前記予測サンプルの左側に隣接する参照サンプルである、請求項２に記載のイントラ予測方法。
【請求項５】
前記予測サンプルに適用されるフィルタリング係数は、前記参照サンプルに適用されるフィルタリング係数より大きい、請求項２に記載のイントラ予測方法。
【請求項６】
前記イントラ予測における前記方向性予測モードは、水平予測モードであり、
前記予測ブロックを生成するステップは、前記予測ブロックの前記左側境界に隣接する参照サンプルに基づいて前記予測ブロック内の予測サンプルを導出するステップと、前記予測ブロックの前記上段境界に隣接する参照サンプルに基づいて、前記導出された予測サンプルの中の前記予測ブロックの前記上段境界に隣接する予測サンプルにフィルタリングを実行するステップとを有する、請求項１に記載のイントラ予測方法。
【請求項７】
前記予測サンプルのフィルタリングに対し使用される前記参照サンプルは、フィルタリングされる前記予測サンプルと、水平方向に関して同一位置に置かれた参照サンプルである、請求項６に記載のイントラ予測方法。
【請求項８】
前記予測サンプルのフィルタリングに対し使用される前記参照サンプルは、フィルタリングされる前記予測サンプルの上段に隣接する参照サンプルである、請求項６に記載のイントラ予測方法。
【請求項９】
前記予測サンプルに適用されるフィルタリング係数は、前記参照サンプルに適用されるフィルタリング係数より大きい、請求項６に記載のイントラ予測方法。
【請求項１０】
前記方向性予測モードの予測方向は、右上方向であり、
前記予測ブロックを生成するステップは、前記右上方向の方向性予測モードに従い、前記予測ブロックの前記上段境界に隣接する参照サンプルに基づいて前記予測ブロック内の予測サンプルを導出するステップと、前記予測ブロックの前記左側境界に隣接する参照サンプルに基づいて、前記導出された予測サンプルの中の前記予測ブロックの前記左側境界に隣接する予測サンプルのフィルタリングを実行するステップとを有する、請求項１に記載のイントラ予測方法。
【請求項１１】
前記方向性予測モードの予測方向は、左下方向であり、
前記予測ブロックを生成するステップは、前記左下方向の方向性予測モードに従い、前記予測ブロックの前記左側境界に隣接する参照サンプルに基づいて前記予測ブロック内の予測サンプルを導出するステップと、前記予測ブロックの前記上段境界に隣接する参照サンプルに基づいて、前記導出された予測サンプルの中の前記予測ブロックの前記上段境界に隣接する予測サンプルのフィルタリングを実行するステップとを有する、請求項１に記載のイントラ予測方法。
【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
乳において天然に生じる１種又は複数の生物活性分子を含む液状又は粘性の組成物の微生物負荷を低減するための方法であって、
前記組成物をパルス電界（ＰＥＦ）処理にかけるステップであり、前記ＰＥＦ処理において、前記組成物を該組成物のｋｇ当たり６００ｋＪ以下の比エネルギーに曝し、１０〜２０ｋＶ／ｃｍの電界強度を有するＰＥＦに前記組成物を曝すステップを含み、
前記ＰＥＦ処理が、ルーメンを有する１つ又は複数の共線形処理チャンバにおいて適用され、
前記組成物が前記共線形処理チャンバの前記ルーメンを通して連続的に導かれ、
前記ルーメンに内側要素が設けられ、前記共線形処理チャンバにおいて、前記内側要素の周囲で前記組成物が導かれるようになっている、方法。
【請求項２】
前記ＰＥＦ処理において、１０μ秒以上、好ましくは１５μ秒以上のパルス持続時間を適用する、請求項１に記載の方法。
【請求項３】
前記ＰＥＦ処理において、矩形波の電気パルス及び／又は両極性パルスを適用する、請求項１又は２に記載の方法。
【請求項４】
当該方法が連続的方法であり、及び／又は、当該方法において前記組成物を前記ＰＥＦ処理に連続的にかける、請求項１〜３のいずれか一項に記載の方法。
【請求項５】
前記ＰＥＦ処理にかける前に前記組成物の温度を２０〜４５℃の温度に設定する、請求項１〜４のいずれか一項に記載の方法。
【請求項６】
前記組成物が、全乳、セミスキムミルク、スキムミルク、初乳、部分脱脂乳、低脂肪乳、無脂肪乳、スイートホエー又は酸ホエー等のホエー（乳清）、乳ベースの飲料、ヨーグルト、フローズンヨーグルト、ヨーグルト飲料、アイスクリーム、クリーム、バター、フレッシュチーズ、凝乳及びチーズ、前述したもののうちのいずれか１つの粉末又は別の乾燥形態、並びに前述したもののうちの２つ以上の組み合わせを含む組成物から成る群から選択される１つ又は複数を含む、又は前記群から選択される１つ又は複数から実質的に成る、請求項１〜５のいずれか一項に記載の方法。
【請求項７】
前記１種又は複数の生物活性分子が、乳において天然に生じるビタミン、天然タンパク質、生物活性脂質、シアル酸、ヌクレオチド、オリゴ糖、アミノ酸及びタウリンから個々独立に選択される、請求項１〜６のいずれか一項に記載の方法。
【請求項８】
前記１種又は複数の生物活性分子が生物活性タンパク質から選択され、前記タンパク質が抗微生物因子、免疫グロブリン、成長因子、サイトカイン及び／又は前／抗炎症性因子、ケモカイン、消化酵素を含む酵素、タンパク質ホルモン、トランスポーター、グリコマクロペプチド、β−ラクトグロブリン、α−ラクトアルブミン、乳脂肪球膜タンパク質、並びに前述したもののうちの２つ以上の組み合わせから選択され、前記組成物をＰＥＦ処理にかけるステップ後に前記タンパク質の少なくとも３０％が天然型で存在する、請求項１〜７のいずれか一項に記載の方法。
【請求項９】
達成された微生物負荷の低減が少なくとも４ｌｏｇである、請求項１〜８のいずれか一項に記載の方法。
【手続補正書】
【提出日】平成26年6月12日(2014.6.12)
【手続補正１】
【補正対象書類名】特許請求の範囲
【補正対象項目名】全文
【補正方法】変更
【補正の内容】
【特許請求の範囲】
【請求項１】
複合コアセルベートの水性分散液を調製する方法であって、
ａ．  アラビアゴムを含む陰イオンポリマーの水溶液を提供する工程、
ｂ．  前記ポリマーの水溶液に、ビタミンＣを含む水溶性酸化防止剤、ショ糖エステルを含む安定剤およびオメガ３脂肪酸を含む疎水性物質を加え、高剪断混合してエマルジョンを形成する工程であって、前記水溶性酸化防止剤が前記高剪断混合の前に加えられる工程、
ｃ．  前記エマルジョンに、ホエータンパク質を含む陽イオンポリマーを加える工程、および
ｄ．  高剪断混合して複合コアセルベートの水性分散液を形成する工程、
を有してなる方法。
【請求項２】
前記水溶性酸化防止剤が、前記疎水性物質を加える前に、前記陰イオンポリマーの溶液に加えられる、請求項１記載の方法。
【請求項３】
前記疎水性物質が水不溶性酸化防止剤をさらに含む、請求項１記載の方法。
【請求項４】
前記水不溶性酸化防止剤が、ブチル化ヒドロキシトルエン、ブチル化ヒドロキシアニソール、ｔｅｒｔ−ブチルヒドロキノン、ケルセチン、トコフェロール、およびそれらの任意の組合せから選択される、請求項３記載の方法。
【請求項５】
前記陽イオンポリマーを加える前に、前記疎水性物質に前記安定剤を加える工程をさらに含む、請求項１記載の方法。
【請求項６】
前記疎水性物質が、脂質、水不溶性ビタミン、水不溶性ステロール、水不溶性フラボノイド、香料、または精油をさらに含む、請求項１記載の方法。
【請求項７】
前記疎水性物質がオメガ６脂肪酸をさらに含む、請求項１記載の方法。
【請求項８】
前記疎水性物質が、ドコサヘキサエン酸、エイコサペンタエン酸、ステアリドン酸、ステアリドン酸、アルファリノレン酸、共役リノール酸、ビタミンＡ、ビタミンＥ、シトラール、リモネン、オレンジ、レモン、ライム、グレープフルーツ、アーモンド、ヘーゼルナッツ、ピーナツ、チェリー、リンゴ、イチゴ、コーヒー、ミント、バニラの抽出物または油、もしくはそれらの任意の組合せをさらに含む、請求項１記載の方法。
【請求項９】
前記陰イオンポリマーが、ペクチン、カラギーナン、ガティガム、キサンタンガム、寒天、加工デンプン、アルギナート、カルボキシメチルセルロース（ＣＭＣ）、またはそれらの組合せをさらに含み、
前記陽イオンポリマーが、ベータ−ラクトグロブリン、アルファ−ラクトグロブリン、ホエータンパク質単離体（ＷＰＩ）、ホエータンパク質濃縮物、加水分解タンパク質、ゼラチン、トウモロコシゼインタンパク質、ウシ血清アルブミン、卵アルブミン、穀物タンパク質抽出物、小麦タンパク質抽出物、大麦タンパク質抽出物、ライ麦タンパク質抽出物、オート麦タンパク質抽出物、植物性タンパク質、微生物のタンパク質、キトサン、マメ科タンパク質、ラウリン酸アルギナート、ポリリシン、カゼインまたはそれらの組合せをさらに含む、請求項１記載の方法。
【請求項１０】
前記安定剤が、トリグリセリド、レシチン、エステルガム、またはそれらの任意の組合せをさらに含む、請求項１記載の方法。
【請求項１１】
前記ショ糖エステルがトリグリセリドを含有する、請求項１記載の方法。
【請求項１２】
前記オメガ３脂肪酸が、ドコサヘキサエン酸（ＤＨＡ）およびエイコサペンタエン酸（ＥＰＡの少なくとも一方を含む、請求項１記載の方法。
【請求項１３】
前記水溶性酸化防止剤が、植物由来の酸化防止剤、水溶性ポリフェノール、またはその任意の組合せをさらに含む、請求項１記載の方法。
【請求項１４】
請求項１から１３いずれか１項記載の方法により調製された複合コアセルベートの水性分散液。
【請求項１５】
食品であって、少なくとも１種類の追加の食品と組み合わされた、請求項１から１３いずれか１項記載の方法により調製された複合コアセルベートの水性分散液を含む食品。
【手続補正書】
【提出日】平成26年7月17日(2014.7.17)
【手続補正１】
【補正対象書類名】特許請求の範囲
【補正対象項目名】全文
【補正方法】変更
【補正の内容】
【特許請求の範囲】
【請求項１】
少なくとも追加デバイスとプロキシデバイスとを含む複数のメンバーデバイスを備えるハイブリッドネットワークに参加デバイスを参加させるための、前記追加デバイスが実行する方法であって、前記参加デバイスは、まだ前記ハイブリッドネットワークのメンバーではなく、
前記追加デバイスを作動させて、前記追加デバイスを追加状態に入らせることであって、前記追加デバイスは前記参加デバイスからの接続メッセージをリッスンするものである、入らせることと、
前記追加デバイスにおいて、前記参加デバイスから接続メッセージが受信されるか否かを判定することであって、前記接続メッセージは第１の通信プロトコルを使用して通信される、判定することと、
前記接続メッセージが前記作動後の所定の時間期間内に前記追加デバイスによって受信されない場合に、
前記追加デバイスから前記プロキシデバイスに、第２の通信プロトコルにおいてプロキシ接続メッセージを送ることであって、前記第１の通信プロトコルは前記第２の通信プロトコルとは異なり、前記第１の通信プロトコルと前記第２の通信プロトコルとが、電力線通信プロトコル、ワイヤレスプロトコル、および有線プロトコルから選択される、プロキシ接続メッセージを送ることと、
前記第２の通信プロトコルを使用して前記プロキシデバイスが前記ハイブリッドネットワークに前記参加デバイスを参加させること、を可能にすることと、
を備える方法。
【請求項２】
前記追加デバイスは、前記追加デバイスが前記参加デバイスから前記所定の時間間隔内に前記接続メッセージを受信する場合でも、前記プロキシ接続メッセージを前記プロキシデバイスに送るものである、請求項１に記載の方法。
【請求項３】
前記追加デバイスが前記メンバーデバイスのすべてに前記プロキシ接続メッセージを自動的にブロードキャストする、請求項１に記載の方法。
【請求項４】
前記参加デバイスは、作動されると前記接続メッセージを送るものである、請求項１に記載の方法。
【請求項５】
前記追加デバイスがブロードキャスティングを介して前記プロキシ接続メッセージを送る、請求項１に記載の方法。
【請求項６】
少なくとも追加デバイスとプロキシデバイスとを含む複数のメンバーデバイスを備えるハイブリッドネットワークに参加デバイスを参加させるためのシステムであって、前記参加デバイスは、まだ前記ハイブリッドネットワークのメンバーではなく、前記システムは、
前記追加デバイスを作動させて、前記追加デバイスを追加状態に入らせるための手段であって、前記追加デバイスは前記参加デバイスからの接続メッセージをリッスンするものである、入らせるための手段と、
前記追加デバイスにおいて、前記参加デバイスから前記接続メッセージが受信されるか否かを判定するための手段であって、前記接続メッセージは第１の通信プロトコルを使用して通信される、判定するための手段と、
前記接続メッセージが前記作動後の所定の時間期間内に前記追加デバイスによって受信される場合に、前記追加デバイスを使用して前記ハイブリッドネットワークへの前記参加デバイスの参加を容易にするための手段と、
前記接続メッセージが前記作動後の前記所定の時間期間内に前記追加デバイスによって受信されない場合に、前記追加デバイスから前記プロキシデバイスに、第２の通信プロトコルにおいてプロキシ接続メッセージを送るための手段であって、前記第１の通信プロトコルが前記第２の通信プロトコルとは異なる、送るための手段と、
前記接続メッセージが前記作動後の前記所定の時間期間内に前記追加デバイスによって受信されない場合に、前記第２の通信プロトコルを使用して前記プロキシデバイスが前記ハイブリッドネットワークに前記参加デバイスを参加させることを可能にするための手段と
を備えるシステム。
【請求項７】
前記第１の通信プロトコルと前記第２の通信プロトコルとが、電力線通信プロトコル、ワイヤレスプロトコル、および有線プロトコルから選択される、請求項６に記載のシステム。
【請求項８】
前記追加デバイスは、前記追加デバイスが前記参加デバイスから前記所定の時間間隔内に前記接続メッセージを受信する場合でも、前記プロキシ接続メッセージを前記プロキシデバイスに送るものである、請求項６に記載のシステム。
【請求項９】
前記追加デバイスが前記メンバーデバイスのすべてに前記プロキシ接続メッセージを自動的にブロードキャストする、請求項６に記載のシステム。
【請求項１０】
前記追加デバイスおよび前記参加デバイスが前記それぞれのデバイス上のプッシュボタンを作動させることによって作動される、請求項６に記載のシステム。
【請求項１１】
前記追加デバイスがブロードキャスティングを介して前記プロキシ接続メッセージを送る、請求項６に記載のシステム。
【請求項１２】
互いに異なる第１の通信プロトコルと第２の通信プロトコルとを採用するネットワークインターフェースを含むハイブリッドネットワークであって、
前記第１の通信プロトコルのネットワークインターフェースを有する、現在前記ネットワークのメンバーではない、選択的に参加状態に入り、その後前記第１の通信プロトコルにおいて簡易接続メッセージをブロードキャストするための参加デバイスと、
前記第２の通信プロトコルのネットワークインターフェースを有する、現在前記ネットワークのメンバーである、選択的に追加状態に入り、
前記簡易接続メッセージが前記追加状態に入った後の所定の時間期間内に受信される場合に、前記ハイブリッドネットワークへの前記参加デバイスの参加を容易にし、
前記簡易接続メッセージが前記所定の時間期間内に受信されない場合に、前記第２の通信プロトコルにおいてプロキシ接続メッセージをブロードキャストする
ための追加デバイスと、
前記第１の通信プロトコルの第１のネットワークインターフェースを有し、前記第２の通信プロトコルの第２のネットワークインターフェースを有する、現在前記ネットワークのメンバーである、前記プロキシ接続メッセージに応答して選択的に前記追加状態に入り、その後前記ネットワークへの前記参加デバイスの参加を容易にするためのプロキシ追加デバイスと
を備えるネットワーク。
【請求項１３】
前記第１の通信プロトコルがＷＬＡＮプロトコルから構成され、前記第２の通信プロトコルが電力線通信（ＰＬＣ）プロトコルから構成された、請求項１２に記載のネットワーク。
【請求項１４】
前記第１の通信プロトコルが電力線通信（ＰＬＣ）から構成され、前記第２の通信プロトコルがＷＬＡＮプロトコルから構成された、請求項１２に記載のネットワーク。
【請求項１５】
前記参加デバイスは、前記参加デバイス上のプッシュボタンをユーザが作動させることに応答して前記参加状態に入るものであり、前記追加デバイスは、前記追加デバイス上のプッシュボタンをユーザが作動させることに応答して前記追加状態に入るものである、請求項１２に記載のネットワーク。
【請求項１６】
前記プロキシ追加デバイスは、前記追加状態に入ったことに応答して前記ネットワークの他のすべてのメンバーに前記プロキシ接続メッセージをブロードキャストするものである、請求項１２に記載のネットワーク。